(57)【要約】      （修正有）【課題】天井から突出している吊りボルトに簡便に取り付けられる照明器具を提供する。【解決手段】照明器具は、長尺矩形に形成され吊りボルトを用いて天井材に取り付けられる器具本体１と、器具本体１に取り付けられる光源ユニット２とを備える。器具本体１には長手方向に沿って吊りボルトを通すための孔が設けられており、さらに、吊ボルト用孔の外側にばね状取付け部材を通す孔が設けられている。光源ユニット２を固定するためのばね状取付け部材が光源ユニット２の透光部側の他端面に設置されており、器具本体１の孔に挿入され器具本体１と光源ユニット２が固定される。【選択図】図３
2016149334.tif 000002
【特許請求の範囲】
【請求項１】
長尺矩形に形成され吊りボルトを用いて天井に取り付けられる器具本体と、前記器具本体に取り付けられる光源ユニットとを備え、前記器具本体には前記吊りボルトを通すための孔が設けられており、さらに、前記器具本体の吊りボルトを通すための孔が設けられた面には、前記光源ユニットを取り付けるための前記光源ユニットに設けられたばね状の取付部材を通す孔が設けられ、前記光源ユニットを一部または全体を収納する開口部を有し、前記光源ユニットは複数のＬＥＤが実装されたＬＥＤ基板と、前記複数のＬＥＤが前記開口部の外側を向くようにして前記ＬＥＤ基板を前記器具本体に取り付けられ、前記開口部には前記器具本体の開口部に一部または全体がばね状取付け部材で収納、固定され、前記電源装置は、前記光源ユニットの収納部に収納されることを特徴とする照明器具。
【請求項２】
前記光源ユニットはＬＥＤが実装された面を覆う透光製の樹脂部品と、長さ方向に少なくとも１個の収納空間を持つ取り付け部材と、前記収納空間に収納されたＬＥＤに点灯電力を供給する電源装置を有し、前記器具本体に取付けるためのばね状取付け材を有することを特徴とする請求項１記載の照明器具。
【発明の詳細な説明】
【技術分野】
【０００１】本発明は、ＬＥＤ光源ユニット及びＬＥＤ照明器具に関するものである。
【背景技術】
【０００２】  従来より、取付ねじを用いて天井に取り付けられる天井直付け型の照明器具が提供されている。（例えば特許文献１参照）この照明器具は、天井からの吊りボルトに照明器具を取り付ける場合は、照明器具のシャーシ面よりも下方に向かって吊りボルトが突出してしまうことから照明器具を薄型化するには難があった。
【先行技術文献】
【特許文献１】  特開２０１３−６２０６２号公報
【発明の概要】
【発明が解決しようとする課題】
【０００３】  上述の特許文献１に示した照明器具では、シャーシの外方に突出した凹部が形成されたシャーシと天井板に形成した埋め込み孔に装着可能に構成されている。しかしながらこの方法では天井板に埋め込み孔を形成する必要があり、また吊りボルトの固定がシャーシに形成された凹部で行うなど作業性が損なわれていた。【０００４】  本発明は上記問題点に鑑みてなされたもので、その目的とするところは、天井から突出している吊りボルトに簡便に取り付けられる照明器具を提供することにある。【０００５】  本発明の照明器具は、長尺矩形に形成され吊りボルトを用いて天井材に取り付けられる器具本体と、前記器具本体に取り付けられる光源ユニットとを備え、前記器具本体には長手方向に沿って前記吊りボルトを通すための孔が設けられており、さらに光源ユニットに備えられたばね状固定部材を通すための孔が複数個設けられている。【０００６】  前記器具本体には、前記光源ユニットを取り付けるための前記光源ユニットのばね状取付部材と前記器具本体の取付孔と一体となる機構と、前記光源ユニットの一部または全体を収納する開口部を有し、前記光源ユニットは複数のＬＥＤが実装されたＬＥＤ基板と、前記複数のＬＥＤが前記開口部の外側を向くようにして前記ＬＥＤ基板を前記器具本体に取り付けられる。さらに前記光源ユニットには、前記ＬＥＤに点灯電力を供給する電源装置とを有し、前記器具本体の開口部に一部または全体が収納される。【０００７】  この照明器具に置いて、前記器具本体に設けられる、前記光源ユニットのばね状取付部材と組合わせられる取付け孔は、長尺矩形に形成された底面部に形成された吊りボルトを通す孔の外側に複数個設けるのが好ましい。
【発明の効果】
【０００８】  本発明による吊りボルトと照明器具の取付は、天井に孔加工などの追加加工を施さず、簡単に吊りボルトと器具本体と光源ユニットを固定ができ、天井への取付が簡便な照明器具を提供できる効果がある。
【図面の簡単な説明】
【０００９】
【図１】本発明の組み立て後の全体斜視図である。（１）は吊りボルト取付孔（５）と、ばね状取り付け部材（１２）を通すための矩形上の係止孔（６）が開いた器具本体。（２）は器具本体に取り付けられずた光源ユニットである。
【図２】本発明の組立図である。
【図３】本発明の組み立て前の構成図である。（１）は開口部（１１）を有する器具本体、（２）は器具本体の開口部（１１）に一部あるいは全体が収納される光源ユニットである。
【図４】本発明の器具本体の斜視図である。器具本体（１）の中央長手方向には開口部（１１）が設けられており、開口部（１１）の両側には傾斜面（１２）が設けられている。さらに開口部（１１）には、前記光源ユニット（２）を収納する収納部の一部となる壁（１３）が設けられている。
【図５】本発明光源ユニット（２）の斜視図である。光源ユニット（２）は電源などが収納される部材（２１）と透光性カバー（２３）を備える。
【図６】本発明光源ユニット断面図であるＬＥＤ基板（２２）が取り付けられた部材（２１）には、ＬＥＤ基板（２２）に電力を供給する電源装置（２４）を収納部（２５）に収納してある。さらにＬＥＤ基板（２２）は透光性カバー（２３）により覆われている。
【図７】本発明のばね材による器具本体と光源ユニットの固定方法の一例を示したもので、（１）は吊りボルトの取付け穴（図示せず）が設けられた器具本体を示し、（２１）は光源ユニット（２）の部材（２１）のばね状取付部材（２６）の取付け面である。ばね状取付け部材（２６）を器具本体（１）に設けられた矩形状の係止孔（６）に通せば、ばね状取付け部材（２６）は自己の復元力により、器具本体（１）と光源ユニット（２）が固定される。
【発明を実施するための形態】
【００１０】  以下に照明器具の実施形態について図１〜図７を参照して説明する。ほんはつめいの
【００１１】  本実施形態の照明器具は、図１〜図７に示すように、天井直付け型の照明器具であり、吊りボルト（図示せず）を用いて天井材（図示せず）に取り付けられる器具本体（１）と、器具本体（１）に対して取り付け自在に取り付けられる光源ユニット（２）を備える。
【００１２】  器具本体（１）は、長尺矩形状をなし、長手方向中央線上に吊りボルト取付孔（５）が開いている。ボルト取付け孔外側には光源ユニット（２）を取り付けるため光源ユニット（２）に設けられたばね状取付部材（１２）、を通すための矩形状の係止孔（６）が開いている。この孔の形状はばね状取付部材と対をなし構成されれば、その大きさ形状は自由である。
【００１３】  器具本体（１）は図３、図４に示すように中央の開口部（１１）の左右方向（幅方向）において、開口部（１１）開口端部から、延出し且つ外側に行くほど上側（天井側）に傾斜する傾斜面（１２，１２）がそれぞれ設けられている。開口部には板金加工よる開口部（１１）を取り巻く壁（１３）が設けられている。この壁（１３）は光源ユニット（２）の一部が収納される収納部の一部となる。器具本体（１）の吊りボルト取付け孔（５）の外側には、前記光源ユニット（２）のループ状バネ材が固定できる矩形係止孔（６）を設ければよい。
【００１４】  光源ユニット（２）は図５、図６に示すようにＬＥＤ基板（２２）とＬＥＤ基板（２２）が取り付けられる部材（２１）例えばアルミ押出し材からなる部材と、ＬＥＤ基板（２２）を覆うようにして取り付けられるカバー（２３）とＬＥＤ基板（３２）に電力を供給する電源装置（２４）とを有する。カバー材（２３）は、光拡散性を有する材料（例えば乳白色アクリル樹脂やポリカーボネート樹脂）により構成されるのが好ましい。電源装置（２４）はＬＥＤ基板（２２）に実装されたＬＥＤ（図示せず）の点灯電力を生成するために必要な回路部品が実装されており、ＬＥＤ基板（２２）が取り付けられる部材（２１）の収納部（２５）に収納される。
【００１５】  次に本発明の照明器具の組み立て手順について説明する。まず最初に作業者は、吊りボルトに器具本体（１）を通しナット（図示せず）により固定する。次に器具本体（１）に取り付けられた端子台（図示せず）に電源電線を接続する。  次に光源ユニット（２）を器具本体に取り付け完成させる。この際、光源ユニット（２）の取付は最初片側だけで行い、端子台（図示せず）と電源装置（２４）の間を電気的に接続する電線（図示せず）を接続した後、光源ユニット（２）をばね状取付け部材を用いて所定取付位置にすればさらに作業性はよくなる。
【符号の説明】
【００１６】（１）器具本体
（２）光源ユニット
（５）吊りボルト孔
（６）矩形係止孔
（１１）開口部
（１２）傾斜面
（１３）壁
（２１）部材
（２２）ＬＥＤ基板
（２３）カバー
（２４）電源装置
（２５）収納部
（２６）ばね状取付け部材
【図１】
2016149334.tif 000003
【図２】
2016149334.tif 000004
【図３】
2016149334.tif 000005
【図４】
2016149334.tif 000006
【図５】
2016149334.tif 000007
【図６】
2016149334.tif 000008
【図７】
2016149334.tif 000009